【手続補正書】
【提出日】平成20年3月4日(2008.3.4)
【手続補正１】
【補正対象書類名】明細書
【補正対象項目名】特許請求の範囲
【補正方法】変更
【補正の内容】
【特許請求の範囲】
【請求項１】
基材の表面を被覆し一部が前記基材の表面の外周端部から食み出してバリとなっている被覆材を有する媒体を搬送する搬送手段と、
この搬送手段によって搬送される前記媒体の搬送方向に沿う両側部を当接させることにより前記バリを擦り取って除去するバリ除去手段と、
このバリ除去手段によりバリが除去された媒体を集積させる集積部と
を具備することを特徴とする媒体搬送装置。
【請求項２】
基材の表面を被覆し一部が前記基材の表面の外周端部から食み出してバリとなっている被覆材を有する媒体を第１の方向に搬送する第１の搬送手段と、
この第１の搬送手段によって搬送される前記媒体の搬送方向に沿う両側部を当接させることにより前記バリを擦り取って除去する第１のバリ除去手段と、
前記第１の搬送手段によって搬送される媒体を受け取り、この媒体を前記第１の方向と交差する第２の方向に沿って搬送する第２の搬送手段と、
この第２の搬送手段によって搬送される前記媒体の搬送方向に沿う両側部を当接させることにより前記バリを擦り取って除去する第２のバリ除去手段と、
この第２のバリ除去手段によりバリが除去された媒体をその種類に応じて区分集積させる複数の集積部と
を具備することを特徴とする媒体搬送装置。
【請求項３】
基材を供給する基材供給手段と、
この基材供給手段によって供給された基材に情報を記録する情報記録手段と、
この情報記録手段により情報が記録された基材の表面に保護膜を形成する保護膜形成手段と、
この保護膜形成手段により保護膜が形成された媒体を搬送する搬送手段と、
この搬送手段によって搬送される前記媒体の搬送方向に沿う両側部と当接させることにより前記保護膜形成手段により形成された保護膜が基材表面から食み出して形成されたバリを擦り取って除去するバリ除去手段と、
このバリ除去手段によりバリが除去された媒体を集積させる集積部と
を具備することを特徴とする媒体発行装置。
【請求項４】
基材を供給する基材供給手段と、
この基材供給手段によって供給された基材に情報を記録する情報記録手段と、
この情報記録手段により情報が記録された基材の表面に保護膜を形成する保護膜形成手段と、
この保護膜形成手段により保護膜が形成された媒体を第１の方向に搬送する第１の搬送手段と、
この第１の搬送手段によって搬送される前記媒体の第１の方向に沿う両側部と当接させることにより前記保護膜形成手段により形成された保護膜が基材表面から食み出して形成されたバリを擦り取って除去する第１のバリ除去手段と、
前記第１の搬送手段によって搬送されてくる媒体を受け取り、この媒体を前記第１の方向と交差する第２の方向に沿って搬送する第２の搬送手段と、
この第２の搬送手段によって搬送される前記媒体の第２の方向に沿う両側部を当接しながら搬送させることにより前記保護膜形成手段により形成された保護膜が基材表面から食み出して形成されたバリを擦り取って除去する第２のバリ除去手段と、
この第２のバリ除去手段によりバリが除去された媒体をその種類に応じて区分集積させる複数の集積部と
を具備することを特徴とする媒体発行装置。
【請求項５】
基材の表面が保護膜で保護され、その一部が前記基材の外周端部から食み出してバリとなっている媒体を搬送する搬送工程と、
この搬送工程によって搬送される前記媒体の搬送方向に沿う両側部を当接部材に当接させることにより前記バリを擦り取って除去するバリ除去工と、
このバリ除去工程によりバリが除去された媒体を集積部に集積させる集積工程と
を具備することを特徴とする媒体搬送方法。
【請求項６】
基材の表面が保護膜で被覆されその一部が前記基材の外終端部から食み出してバリとなっている媒体を第１の方向に搬送する第１の搬送工程と、
この第１の搬送工程によって搬送される前記媒体の搬送方向に沿う両側部を当接部材に当接させながら搬送させることにより前記バリを擦り取って除去する第１のバリ除去工程と、
前記第１の搬送工程によって搬送されてくる媒体を受け取り、この媒体を前記第１の方向と交差する第２の方向に沿って搬送する第２の搬送工程と、
この第２の搬送工程によって搬送される前記媒体の搬送方向に沿う両側部を当接部材に当接させながら搬送させることにより前記バリを擦り取って除去する第２のバリ除去工程と、
この第２のバリ除去工程によりバリが除去された媒体をその種類に応じて複数の集積部に集積させる集積工程と
を具備することを特徴とする媒体搬送方法。
【請求項７】
基材を供給する基材供給工程と、
この基材供給工程によって供給された基材に情報を記録する情報記録工程と、
この情報記録工程により情報が記録された基材の表面に保護膜を形成する保護膜形成工程と、
この保護膜形成工程により保護膜が形成された媒体を搬送する搬送工程と、
この搬送工程によって搬送される前記媒体の搬送方向に沿う両側部と当接部材に当接させながら搬送させることにより前記保護膜形成手段により形成された保護膜が基材表面から食み出して形成されたバリを擦り取って除去するバリ除去工程と、
このバリ除去工程によりバリが除去された媒体を集積部に集積させる集積部と
を具備することを特徴とする媒体発行方法。
【請求項８】
基材を供給する基材供給工程と、
この基材供給工程によって供給された基材に情報を記録する情報記録工程と、
この情報記録工程により情報が記録された基材の表面に保護膜を形成する保護膜形成工程と、
この保護膜形成工程により保護膜が形成された媒体を第１の方向に搬送する第１の搬送工程と、
この第１の搬送工程によって搬送される前記媒体の第１の方向に沿う両側部を当接部材に当接させながら搬送させることにより前記保護膜形成手段により形成された保護膜が基材表面から食み出して形成されたバリを擦り取って除去する第１のバリ除去工程と、
前記第１の搬送工程によって搬送されてくる媒体を受け取り、この媒体を前記第１の方向と交差する第２の方向に沿って搬送する第２の搬送工程と、
この第２の搬送工程によって搬送される前記媒体の第２の方向に沿う両側部を当接部材に当接させながら搬送させることにより前記バリを擦り取って除去する第２のバリ除去工程と、
この第２のバリ除去工程によりバリが除去された媒体をその種類に応じて複数の集積部に区分集積させる集積工程と
を具備することを特徴とする媒体発行方法。
【手続補正２】
【補正対象書類名】明細書
【補正対象項目名】０００８
【補正方法】変更
【補正の内容】
【０００８】
請求項２記載のものは、基材の表面を被覆し一部が前記基材の表面の外周端部から食み出してバリとなっている被覆材を有する媒体を第１の方向に搬送する第１の搬送手段と、この第１の搬送手段によって搬送される前記媒体の搬送方向に沿う両側部を当接させることにより前記バリを擦り取って除去する第１のバリ除去手段と、前記第１の搬送手段によって搬送される媒体を受け取り、この媒体を前記第１の方向と交差する第２の方向に沿って搬送する第２の搬送手段と、この第２の搬送手段によって搬送される前記媒体の搬送方向に沿う両側部を当接させることにより前記バリを擦り取って除去する第２のバリ除去手段と、この第２のバリ除去手段によりバリが除去された媒体をその種類に応じて区分集積させる複数の集積部とを具備する。
【手続補正３】
【補正対象書類名】明細書
【補正対象項目名】０００９
【補正方法】変更
【補正の内容】
【０００９】
請求項３記載のものは、基材を供給する基材供給手段と、この基材供給手段によって供給された基材に情報を記録する情報記録手段と、この情報記録手段により情報が記録された基材の表面に保護膜を形成する保護膜形成手段と、この保護膜形成手段により保護膜が形成された媒体を搬送する搬送手段と、この搬送手段によって搬送される前記媒体の搬送方向に沿う両側部と当接させることにより前記保護膜形成手段により形成された保護膜が基材表面から食み出して形成されたバリを擦り取って除去するバリ除去手段と、このバリ除去手段によりバリが除去された媒体を集積させる集積部とを具備する。
【手続補正４】
【補正対象書類名】明細書
【補正対象項目名】００１０
【補正方法】変更
【補正の内容】
【００１０】
請求項４記載のものは、基材を供給する基材供給手段と、この基材供給手段によって供給された基材に情報を記録する情報記録手段と、この情報記録手段により情報が記録された基材の表面に保護膜を形成する保護膜形成手段と、この保護膜形成手段により保護膜が形成された媒体を第１の方向に搬送する第１の搬送手段と、この第１の搬送手段によって搬送される前記媒体の第１の方向に沿う両側部と当接させることにより前記保護膜形成手段により形成された保護膜が基材表面から食み出して形成されたバリを擦り取って除去する第１のバリ除去手段と、前記第１の搬送手段によって搬送されてくる媒体を受け取り、この媒体を前記第１の方向と交差する第２の方向に沿って搬送する第２の搬送手段と、この第２の搬送手段によって搬送される前記媒体の第２の方向に沿う両側部を当接しながら搬送させることにより前記保護膜形成手段により形成された保護膜が基材表面から食み出して形成されたバリを擦り取って除去する第２のバリ除去手段と、この第２のバリ除去手段によりバリが除去された媒体をその種類に応じて区分集積させる複数の集積部とを具備する。
【手続補正５】
【補正対象書類名】明細書
【補正対象項目名】００１１
【補正方法】変更
【補正の内容】
【００１１】
請求項５記載のものは、基材の表面が保護膜で保護され、その一部が前記基材の外周端部から食み出してバリとなっている媒体を搬送する搬送工程と、この搬送工程によって搬送される前記媒体の搬送方向に沿う両側部を当接部材に当接させることにより前記バリを擦り取って除去するバリ除去工と、このバリ除去工程によりバリが除去された媒体を集積部に集積させる集積工程とを具備する。
【手続補正６】
【補正対象書類名】明細書
【補正対象項目名】００１２
【補正方法】変更
【補正の内容】
【００１２】
請求項６記載のものは、基材の表面が保護膜で被覆されその一部が前記基材の外終端部から食み出してバリとなっている媒体を第１の方向に搬送する第１の搬送工程と、この第１の搬送工程によって搬送される前記媒体の搬送方向に沿う両側部を当接部材に当接させながら搬送させることにより前記バリを擦り取って除去する第１のバリ除去工程と、前記第１の搬送工程によって搬送されてくる媒体を受け取り、この媒体を前記第１の方向と交差する第２の方向に沿って搬送する第２の搬送工程と、この第２の搬送工程によって搬送される前記媒体の搬送方向に沿う両側部を当接部材に当接させながら搬送させることにより前記バリを擦り取って除去する第２のバリ除去工程と、この第２のバリ除去工程によりバリが除去された媒体をその種類に応じて複数の集積部に集積させる集積工程とを具備する。
【手続補正７】
【補正対象書類名】明細書
【補正対象項目名】００１３
【補正方法】変更
【補正の内容】
【００１３】
請求項７記載のものは、基材を供給する基材供給工程と、この基材供給工程によって供給された基材に情報を記録する情報記録工程と、この情報記録工程により情報が記録された基材の表面に保護膜を形成する保護膜形成工程と、この保護膜形成工程により保護膜が形成された媒体を搬送する搬送工程と、この搬送工程によって搬送される前記媒体の搬送方向に沿う両側部と当接部材に当接させながら搬送させることにより前記保護膜形成手段により形成された保護膜が基材表面から食み出して形成されたバリを擦り取って除去するバリ除去工程と、このバリ除去工程によりバリが除去された媒体を集積部に集積させる集積部とを具備する。
【手続補正８】
【補正対象書類名】明細書
【補正対象項目名】００１４
【補正方法】変更
【補正の内容】
【００１４】
請求項８記載のものは、基材を供給する基材供給工程と、この基材供給工程によって供給された基材に情報を記録する情報記録工程と、この情報記録工程により情報が記録された基材の表面に保護膜を形成する保護膜形成工程と、この保護膜形成工程により保護膜が形成された媒体を第１の方向に搬送する第１の搬送工程と、この第１の搬送工程によって搬送される前記媒体の第１の方向に沿う両側部を当接部材に当接させながら搬送させることにより前記保護膜形成手段により形成された保護膜が基材表面から食み出して形成されたバリを擦り取って除去する第１のバリ除去工程と、前記第１の搬送工程によって搬送されてくる媒体を受け取り、この媒体を前記第１の方向と交差する第２の方向に沿って搬送する第２の搬送工程と、この第２の搬送工程によって搬送される前記媒体の第２の方向に沿う両側部を当接部材に当接させながら搬送させることにより前記バリを擦り取って除去する第２のバリ除去工程と、この第２のバリ除去工程によりバリが除去された媒体をその種類に応じて複数の集積部に区分集積させる集積工程とを具備する。